(57)【要約】【課題】外部から加えられた衝撃によって、故障した場合でも、後日そのデータを見られるようにし、鏡胴のどの位置にどれくらいの衝撃が加わったかが解り、故障を最小限に押さえ、利便性を向上させた撮影装置を提供することを目的とする。【解決手段】電源入れられ、撮影モードであったの場合に、鏡胴ユニットから鏡胴の繰り出し位置と、加速度センサから２軸Ｘ、Ｙのデータを、リアルタイムでのデジタルスチルカメラプロセッサで取得する。そして加速度センサから取得した値が、予めメモリに記憶している規定値以上の値を検出した場合、その時の鏡胴位置を検出し、加速度センサからの値と鏡胴位置を記憶媒体に記録する。【選択図】図５
2009225201.tif 000002
【特許請求の範囲】
【請求項１】
衝撃に対する衝撃値を検出する衝撃検出手段と、
鏡胴の位置を検出する位置検出手段と、
前記衝撃検出手段及び前記位置検出手段により検出したデータを記憶する記憶手段とを備えることを特徴とする撮影装置。
【請求項２】
さらに、前記記憶手段にあらかじめ格納された情報を参照して、その後の動作を判断する判断手段を備えることを特徴とする請求項１に記載の撮影装置。
【請求項３】
前記あらかじめ格納された情報は、鏡胴の位置及び衝撃量を組み合わせた検出テーブルであることを特徴とする請求項１又は２に記載の撮影装置。
【請求項４】
さらに、前記記憶手段にあらかじめ格納された情報を参照して、前記鏡胴の動作を制御する制御手段を備えることを特徴とする請求項１から３のいずれか１項に記載の撮影装置。
【請求項５】
前記制御手段は、再起動後も続けて制御を行うことを特徴とする請求項１から４のいずれか１項に撮影装置。
【請求項６】
さらに、前記記憶手段にあらかじめ格納された情報を参照して、カメラの起動を制御する起動制御手段を備えることを特徴とする請求項１から５のいずれか１項に記載の撮影装置。
【請求項７】
さらに、前記記憶手段に格納されたデータを表示する表示手段を備えることを特徴とする請求項１から６のいずれか１項に撮影装置。
【請求項８】
前記表示手段は、前記記憶手段に格納された鏡胴位置と衝撃量を組み合わせた故障予測テーブルに基づいて、予測内容を表示することを特徴とする請求項１から７のいずれか１項に撮影装置。
【請求項９】
前記衝撃検出手段は、加速度センサであることを特徴とする請求項１から８のいずれか１項に記載の撮影装置。
【請求項１０】
前記衝撃検出手段は、歪センサであることを特徴とする請求項１から８のいずれか１項に記載の撮影装置。
【発明の詳細な説明】
【技術分野】
【０００１】
本発明は、撮影装置に関し、一般的なスチルカメラ、ビデオカメラを含む、撮影装置に関する。
【背景技術】
【０００２】
従来における撮影装置は、外部からの衝撃に対する対応が十分に採られておらず、衝撃に弱いという問題がある。
【０００３】
そこで特許文献１では、衝撃があった場合でも、小型化した構成で耐えることができる、カメラの駆動機構に関する発明が記載されている。また、特許文献２では、衝撃で位置ズレを起しても問題を生じさせない、技術に係る発明が記載されている。
【特許文献１】特開２０００−３１０８１０号公報
【特許文献２】特開２００４−１０９９１２号公報
【発明の開示】
【発明が解決しようとする課題】
【０００４】
しかしながら、現在のカメラは、子供から高齢者まで幅広く使われており、カメラの構造まで把握していない場合が多く、雑に扱われることや、誤って衝撃を加える場合があり、故障につながる大きな原因の一つである。特に、カメラ特有の鏡胴は精密な構造になっていることから、衝撃などの影響により故障する場合が多い。
【０００５】
そこで、本発明では、カメラ特有の鏡胴への衝撃によって故障した場合にも、修理がし易すく、故障を極力抑えることを目的としている。
【課題を解決するための手段】
【０００６】
上記課題を解決するため、本発明における撮影装置は、衝撃に対する衝撃値を検出する衝撃検出手段と、鏡胴の位置を検出する位置検出手段と、衝撃検出手段及び位置検出手段により検出したデータを記憶する記憶手段とを備えることを特徴とする。
【０００７】
さらに、記憶手段にあらかじめ格納された情報を参照して、その後の動作を判断する判断手段を備えることを特徴とする。
【０００８】
あらかじめ格納された情報は、鏡胴の位置及び衝撃量を組み合わせた検出テーブルであることを特徴とする。
【０００９】
さらに、あらかじめ格納された情報を参照して、鏡胴の動作を制御する制御手段を備えることを特徴とする。
【００１０】
制御手段は、再起動後も続けて制御を行うことを特徴とする。
【００１１】
さらに、あらかじめ格納された情報を参照して、カメラの起動を制御する起動制御手段を備えることを特徴とする。
【００１２】
さらに、記憶手段に格納されたデータを表示する表示手段を備えることを特徴とする。
【００１３】
表示手段は、記憶手段に格納された鏡胴位置と衝撃量を組み合わせた故障予測テーブルに基づいて、予測内容を表示することを特徴とする。
【００１４】
衝撃検出手段は加速度センサであることを特徴とする。
【００１５】
衝撃検出手段は歪センサであることを特徴とする。
【発明の効果】
【００１６】
本発明では、本来水平機能など別の機能として使用している加速度センサーを、流用、供用的に使用することにより、コストをかけることなく、カメラを衝撃に対して強くすることが可能である。
【発明を実施するための最良の形態】
【００１７】
図１は、本発明の実施形態における撮影装置の構成図である。また、図２から図４には、撮影装置の外観図を示す。
【００１８】
ＣＣＤ（１０１）は、光学画像を光電変換するための固体撮像素子である。Ｆ／Ｅ（フロントエンド）−ＩＣ（１０２）は、画像ノイズ除去用相関二重サンプリングを行うＣＤＳ（１０２−１）、利得調整を行うＡＧＣ（１０２−２）、ディジタル信号変換を行うＡ／Ｄ（１０２−３）、ＣＣＤ１制御ブロック（１０４−１）より、垂直同期信号、水平同期信号を供給され、ＣＰＵブロック（１０４−３）によって制御されるＣＣＤ（１０１）、及びＦ／Ｅ−ＩＣ（１０２）の駆動タイミング信号を発生するＴＧ（１０２−４）を有する。
【００１９】
鏡胴ユニット（４）は、被写体の光学画像を取り込むズームレンズ（４−１ａ）、ズーム駆動モータ（４−１ｂ）からなるズーム光学系（４−１）、フォーカスレンズ（４−２ａ）、フォーカス駆動モータ（４−２ｂ）からなるフォーカス光学系（４−２）、絞り（４−３ａ）、絞りモータ（４−３ｂ）からなる絞りユニット（４−３）、メカシャッタ（４−４ａ）、メカシャッタモータ（４−４ｂ）からなるメカシャッタユニット（４−４）、各モータを駆動するモータドライバ（４−５）と、それぞれのメカユニットの位置を把握する為に、パルス出力するフォトインターラプタや、検出ＳＷを有する。
【００２０】
ディジタル・スチルカメラ・プロセッサ（１０４）は、ＣＣＤ（１０１）よりＦ／Ｅ―ＩＣ（１０２）の出力データに、ホワイトバランス設定やガンマ設定を行い、又前述したように、垂直同期信号、水平同期信号を供給するＣＣＤ１制御ブロック（１０４−１）、フィルタリング処理により、輝度データ・色差データへの変換を行うＣＣＤ２制御ブロック（１０４−２）、前述した装置各部の動作を制御するＣＰＵブロック（１０４−３）、前述した制御に必要なデータ等を、一時的に保存するＬｏｃａｌ  ＳＲＡＭ（１０４−４）、パソコンなどの外部機器とＵＳＢ通信を行うＵＳＢブロック（１０４−５）、パソコンなどの外部機器とシリアル通信を行うシリアルブロック（１０４−６）、ＪＰＥＧ圧縮・伸張を行うＪＰＥＧ  ＣＯＤＥＣブロック（１０４−７）、画像データのサイズを補間処理により拡大／縮小するＲＥＳＩＺＥブロック（１０４−８）、画像データを液晶モニタやＴＶなどの外部表示機器に表示するためのビデオ信号に変換するＴＶ信号表示ブロック（１０４−９）、撮影された画像データを記録するメモリカードの制御を行うメモリカードブロック（１０４−１０）を有する。
【００２１】
ＳＤＲＡＭ（１０３）は、前述したディジタル・スチルカメラ・プロセッサ（１０４）で画像データに各種処理を施す際に、画像データを一時的に保存する。保存される画像データは、例えば、ＣＣＤ（１０１）から、Ｆ／Ｅ−ＩＣ（１０２）を経由して取り込んで、ＣＣＤ１信号処理ブロック（１０４−１）でホワイトバランス設定、ガンマ設定が行われた状態の［ＲＡＷ−ＲＧＢ画像データ」や、ＣＣＤ２制御ブロック（１０４−２）で輝度データ・色差データ変換が行われた状態の「ＹＵＶ画像データ」、ＪＰＥＧ  ＣＯＤＥＣブロック（１０４−７）で、ＪＰＥＧ圧縮された「ＪＰＥＧ画像データ」などである。
【００２２】
内蔵メモリ（１０７）は、撮影した画像データを記憶可能とするためのメモリである。ＬＣＤドライバ（１０８）は、後述するＬＣＤモニタ（5）に駆動するドライブ回路であり、ＴＶ信号表示ブロック（１０４−９）から出力されたビデオ信号を、ＬＣＤモニタ（5）に表示するための信号に変換する機能も、有している。
【００２３】
ＬＣＤモニタ（５）は、撮影前に被写体の状態を監視して、撮影した画像を確認するために、メモリカードや前述した内臓メモリ（１０７）に記録した画像データを表示する。これらを行うための、モニタ表示器である。ビデオＡＭＰ（１１８）は、ＴＶ信号表示ブロック（１０４−９）から出力されたビデオ信号を、７５Ωインピーダンス変換するためのアンプである。尚、ビデオジャック（１１９）は、ＴＶなどの外部表示機器と接続するための、ジャックである。
【００２４】
操作Ｋｅｙユニット（ＳＷ１〜１５）は、ユーザが操作する、Ｋｅｙ回路である。ＳＵＢ−ＣＰＵ（１０５）は、ＲＯＭ・ＲＡＭをワンチップに内臓したＣＰＵであり、操作Ｋｅｙユニット（ＳＷ１〜１５）などの出力信号を、ユーザの操作情報として、前述したＣＰＵブロック（１０４−３）に出力する。
【００２５】
加速度センサ（１１１）はＰＣＢ上に実装され、２軸Ｘ、Ｙと温度Ｔのデータを出力する。そのデータからカメラの傾きを演算し、ディジタル・スチルカメラ・プロセッサ（１０４）に伝達し、各種制御に使用する。また急激な重力の検出により、衝撃を検出することが可能である。
【００２６】
加速度センサの水平に対するロール角θは、重力ゼロ時の出力をＧ０として、以下の式で表される。
【００２７】
【数１】
2009225201.tif 000003
【００２８】
（実施例１）
図５は、本発明の実施形態における動作を示すフローチャートである。ユーザにより、電源ＯＮが押され（ステップＳ５０１）、撮影（動画・静止画）モードであると判定された場合には（ステップＳ５０２）、加速度センサから２軸Ｘ、Ｙのデータと鏡胴ユニットから鏡胴の繰り出し位置とが、リアルタイムにてディジタル・スチルカメラ・プロセッサで取得される（ステップＳ５０３、Ｓ５０４）。その後、記憶媒体からあらかじめ記憶されているデータを取得し（ステップＳ５０５）、加速度センサから取得した値が、規定値以上の値を検出した場合には（ステップＳ５０６）、加速度センサからの値と鏡胴位置が、記録媒体に記録される（ステップＳ５０７）。
【００２９】
これにより、故障を起した場合でも、後日そのデータを見ることにより、鏡胴のどの位置にどれくらいの衝撃が加わったかが解り、解析のスピード化を図ることが可能となる。
【００３０】
（実施例２）
本発明における別の実施形態では、ステップＳ５０７における記録媒体記憶前にモータドライバの制御ＩＣを停止し、衝撃が検出された瞬間の、鏡胴位置をロックして動作させないようにする。その後、記憶した情報の衝撃値と鏡胴位置から、表１に示すような衝撃値に対するフォーカスとの関係を記憶装置に登録しておき、ディジタルプロセッサがフォーカス部に関係ないと判断した場合には、鏡胴のＴＥＬＥ―ＷＩＤＥ動作のみロックし、通常の撮影は可能とする。これにより、鏡胴が衝撃によって故障していた、あるいは動作しても繰り出し等で故障が致命傷になる場合でも、固定焦点での撮影のみキープし、その場の撮影を、最低限行うことが可能である。
【００３１】
【表１】
2009225201.tif 000004
【００３２】
表中において、鏡胴ポジションの関係は、ａ'＞ｂ'＞ｃ'であり、衝撃値の関係は、ａ＜ｂ＜ｃである。
【００３３】
図６は、上記の動作フローを示す図である。ステップＳ６０１からＳ６０６までは、図５におけるステップＳ５０１からＳ５０６までのフローと同様である。次に、ステップＳ６０６であらかじめ記憶された規定値以上であった場合には、記憶装置に登録されたフォーカス部と衝撃値との関係を参照にして（ステップＳ６０７）、衝撃がフォーカス部への影響がないと判断された場合には、鏡胴のＴＥＬＥ−ＷＩＤＥ動作をロックする（ステップＳ６０８）。一方、フォーカス部への影響があると判断された場合には、動作を停止する（ステップＳ６０９）。
【００３４】
（実施例３）
また、別の実施形態では、加速度センサから取得した値が、あらかじめメモリに記憶している規定値以上の値を検出した場合、その時の鏡胴位置を検出し、加速度センサからの値と鏡胴位置をメモリカードや内臓メモリに記録する前にモータドライバの制御ＩＣを停止し、衝撃が検出した瞬間の鏡胴位置をロックし動作させないようにして、ディジタルプロセッサで停止フラグを発生させ記憶しカメラの電源を停止させる。そして、再度ユーザが電源を押した場合でも、停止フラグが働き、動作しないようにする。
【００３５】
これにより、鏡胴が衝撃で故障したと思われる場合若しくは、動作しても繰り出し等で故障が致命傷になる場合は、それ以上状態が悪く成ら無いように、状態をキープすることが可能である。
【００３６】
図７は、本実施形態におけるフローチャートである。ステップＳ７０１からＳ７０６については、図５におけるステップＳ５０１からＳ５０６までのフローと同様である。次に、ステップＳ７０６において、あらかじめ記憶された規定値以上であった場合には、モータドライバの制御ＩＣを停止し、衝撃が検出された瞬間の鏡胴位置をロックし（ステップＳ７０７）、動作を停止させる（ステップＳ７０８）。続いて、記憶媒体に加速度センサからの値と鏡胴位置を記憶部に登録し（ステップＳ７０９）、デジタルプロセッサに停止フラグを発生させ、カメラの電源を停止させ（ステップＳ７１０）、ユーザが電源を押した場合にも停止フラグが働き、動作させないようにする。
【００３７】
（実施例４）
別の実施形態では、あらかじめ記憶装置に記憶されている「規定以上の衝撃が鏡胴に加わりました。サービスセンターまで連絡ください」等のメッセージを、ＬＣＤモニタに表示し、ユーザの利便性とそれ以上状態が悪くならないように状態をキープする。
【００３８】
図８は、本実施形態におけるフローチャートである。ステップＳ８０１からＳ８０７については、図５におけるステップＳ５０１からＳ５０７までのフローと同様である。次に、あらかじめ記憶装置に記憶されている表示データをＴＶ信号表示ブロックから出力し、ＬＣＤ又はＴＶに出力するとともに（ステップＳ８０８）、ディジタルプロセッサで故障フラグを発生させ記憶し、再度ユーザが電源を起動した場合でも、このメッセージが表示されるようにする（ステップＳ８０９、Ｓ８１０）。
【００３９】
（実施例５）
別の実施形態では、図８でのステップＳ８０８におけるモニタに表示されるメッセージを、表２に一例を示すような情報とすることで、「規定以上の衝撃が鏡胴に加わりました。故障箇所はギア部です。サービスセンターまで連絡ください」等のメッセージを表示し、ユーザに故障箇所を知らせることが可能である。
【００４０】
【表２】
2009225201.tif 000005
【００４１】
図９は、本実施形態におけるフローチャートであり、図８におけるステップＳ８０８において、あらかじめ記憶装置内に記憶された表２の情報を参照して、故障箇所に関するメッセージがＬＣＤモニタに表示される（ステップＳ９０８）。その他の動作については、図８に示す動作と同様である。
【００４２】
（実施例６）
もちろん、上記動作を組み合わせることも可能である。図１０は、その際の動作フローを示す図である。すなわち、ユーザにより、電源ＯＮが押され（ステップＳ１００１）、撮影（動画・静止画）モードであると判定された場合には（ステップＳ１００２）、加速度センサから２軸Ｘ、Ｙのデータと鏡胴ユニットから鏡胴の繰り出し位置とが、リアルタイムにてディジタル・スチルカメラ・プロセッサで取得される（ステップＳ１００３、Ｓ１００４）。
【００４３】
その後、記憶媒体からあらかじめ記憶されているデータを取得し（ステップＳ１００５）、加速度センサから取得した値が、規定値以上の値を検出した場合には（ステップＳ１００６）、モータドライバの制御ＩＣを停止し、衝撃が検出された瞬間の鏡胴位置をロックし（ステップＳ１００７）、動作を停止させる（ステップＳ１００８）。続いて、記憶媒体に加速度センサからの値と鏡胴位置を記憶部に登録し（ステップＳ１００９）、あらかじめ記憶装置に記憶されている表示データをＴＶ信号表示ブロックから出力し、ＬＣＤ又はＴＶに出力するとともに（ステップＳ１０１０）、ディジタルプロセッサで故障フラグを発生させ記憶し、再度ユーザが電源を起動した場合でも、このメッセージが表示されるようにする（ステップＳ１０１１、Ｓ１０１２）。
【００４４】
以上の説明より明らかなように、本発明の撮影装置は鏡胴のポジッションと衝撃とによって記憶することにより、故障になる特定の情報だけを記憶し、故障の原因を把握できる効果がある。また、鏡胴のポジションと衝撃によって、鏡胴動作を一部ロックすることにより、故障を最小限に押さえ、同じくカメラをロックする。このことにより、故障を最小限に押さえ、さらに、その内容を表示することでカメラの状況をユーザに伝えることができ、利便性を向上させられる。
【００４５】
なお、鏡胴のポジションと衝撃によって予想故障内容を表示することで、カメラの状況をユーザに伝えることができ利便性を向上させ、さらには、鏡胴のポジションと衝撃によってカメラをロックする。このことにより、故障を最小限におさえながら予想故障内容を表示することで、カメラの状況をユーザに伝えることができ、利便性を向上させる効果がある。
【００４６】
また、上記説明においては、加速度センサを例として衝撃を検知する方法について示した。しかしながら、これに限定されることは無く、例えば歪センサなどにより、衝撃を検知することも可能である。
【００４７】
以上、本発明の好適な実施の形態により本発明を説明した。ここでは特定の具体例を示して本発明を説明したが、特許請求の範囲に定義された本発明の広範囲な趣旨および範囲から逸脱することなく、これら具体例に様々な修正および変更を加えることができることは明らかである。
【図面の簡単な説明】
【００４８】
【図１】本発明に係るディジタルカメラのブロック構成図である。
【図２】本発明に係るディジタルカメラの外観図（上面図）である。
【図３】本発明に係るディジタルカメラの外観図（正面図）である。
【図４】本発明に係るディジタルカメラの外観図（背面図）である。
【図５】本発明に係る操作手順例１を表したフローチャートである。
【図６】本発明に係る操作手順例２を表したフローチャートである。
【図７】本発明に係る操作手順例３を表したフローチャートである。
【図８】本発明に係る操作手順例４を表したフローチャートである。
【図９】本発明に係る操作手順例５を表したフローチャートである。
【図１０】本発明に係る操作手順例６を表したフローチャートである。
【符号の説明】
【００４９】
１    ストロボ発光部
２    測距ユニット
３    光学ファインダ
４    銅鏡
５    ＬＣＤモニタ
６    電池蓋
１０１    ＣＣＤ
１０２    Ｆ／Ｅ−ＩＣ
１０３    ＳＤＲＡＭ
１０４    ディジタル・スチルカメラ・プロセッサ
１０５    ＳＵＢ−ＣＰＵ
１０６    ストロボ回路
１０７    内蔵メモリ
１０８    ＬＣＤドライバ
ＳＷ１    レリーズスイッチ
ＳＷ２    モードダイヤル
ＳＷ３    ジョグダイヤル１
ＳＷ４    ジョグダイヤル２
ＳＷ５    ズームＳＷ［ＴＥＬＥ］
ＳＷ６    ズームＳＷ［ＷＩＤＥ］
ＳＷ７    上ＳＷ
ＳＷ８    右ＳＷ
ＳＷ９    ＯＫ  ＳＷ
ＳＷ１０    左ＳＷ
ＳＷ１１    下ＳＷ  ／  マクロＳＷ
ＳＷ１２    ＤＩＳＰＬＡＹ  ＳＷ
ＳＷ１３    削除ＳＷ
ＳＷ１４    ＭＥＮＵ  ＳＷ
ＳＷ１５    電源ＳＷ
【図１】
2009225201.tif 000006
【図２】
2009225201.tif 000007
【図３】
2009225201.tif 000008
【図４】
2009225201.tif 000009
【図５】
2009225201.tif 000010
【図６】
2009225201.tif 000011
【図７】
2009225201.tif 000012
【図８】
2009225201.tif 000013
【図９】
2009225201.tif 000014
【図１０】
2009225201.tif 000015